(57)【要約】      （修正有）【課題】電気器具への電源供給を遮断可能であって、電源供給を遮断することにより節約できた電気代を容易に知ることを可能にするエコ表示機能を備えたタイマー装置を提供する。【解決手段】タイマー装置は、タイマー手段５と、操作スイッチ９を備える操作部８と、表示部１０と、制御部１１を具備する。タイマー手段５は、タイマー回路６と、タイマー回路からの信号に基づいて、電源の供給あるいは遮断を切り替える切替器７とを具備する。制御部１１は、操作に基づいて、タイマー回路６を制御し、電源供給が遮断されている時間に基づいて、節約できた電気代を計算して表示部１０に表示する。【選択図】図１
0003160672.tif 000002
【実用新案登録請求の範囲】
【請求項１】
電気器具と電源との間に介在され、前記電気器具への電源の供給、あるいは電気器具への電源供給の遮断を行うためのタイマーであって、
タイマー回路（６）と、該タイマー回路（６）に接続され、タイマー回路（６）からの信号に基づいて、電気器具への電源供給あるいは電気器具への電源供給の遮断を切り替える切替器（７）とを具備したタイマー手段（５）と、
電気器具への電源供給あるいは電気器具への電源供給の遮断を行う時間を設定するための操作スイッチ（９）を備えた操作部（８）と、
各種の情報を表示するための表示部（１０）と、
前記操作スイッチ（８）による操作に基づいて前記タイマー回路（６）及びタイマー全体の作動を制御するとともに、前記タイマー手段（５）により電源供給が遮断されている時間に基づいて、電源供給の遮断により節約できた電気代を計算して前記表示部（１０）に表示する制御部（１１）と、を具備したことを特徴とするエコ表示機能を備えたタイマー装置。
【請求項２】
前記切替器（７）としてリレーを用いたことを特徴とする請求項１に記載のエコ表示機能を備えたタイマー装置。
【請求項３】
前記タイマー回路（６）がタイマーＩＣであることを特徴とする請求項１又は請求項２に記載のエコ表示機能を備えたタイマー装置。
【請求項４】
前記制御部（１１）は、電源供給時における消費電力の平均値を算出し、該電源供給時の消費電力の平均値に基づいて電源供給が遮断されていた時間の節電量を計算可能なマイコンであることを特徴とした請求項１乃至請求項３のいずれかに記載のエコ表示機能を備えたタイマー装置。
【考案の詳細な説明】
【技術分野】
【０００１】
本考案は、電気器具と電源との間に介在されて、電気器具への電源供給、あるいは電気器具への電源供給の遮断を制御するためのタイマー装置に係り、より詳しくは、電気器具への電源供給を遮断している時間に基づいて、節約した電気代等を演算して表示可能としたタイマー装置に関する。
【背景技術】
【０００２】
従来、電気器具と電源との間に介在されて、電気器具を使用しないときに電気器具への電源供給を遮断するためのタイマーが提供されており、このタイマーを用いることにより、本来は消費していた電気を消費せずに、節電を行うことを可能としている。
【０００３】
例えば夏場に扇風機を使用した状態で睡眠に入った場合などは、所定時間が経過した後に扇風機の電源を遮断することで、一晩中扇風機を駆動していた場合と比較して、節電を行うことが可能である。
【０００４】
また、その他、各種電気器具について、使用しないときに電源供給を遮断することで、待機電力を節約することができ、これによって節電を行うことも可能である。
【先行技術文献】
【特許文献】
【０００５】
【特許文献１】実開平７−３２５９３号公報
【特許文献２】実用新案登録第３１２４６９６号公報
【考案の概要】
【考案が解決しようとする課題】
【０００６】
ところで、前述したタイマーによって節電を達成した場合においても、従来のタイマーでは、実際にどの程度の節電になり、またどの程度電気代が節約できたかを知ることは不可能であった。
【０００７】
この点、従来から、比較的高額の電気器具の場合には、例えばエアコンの場合などは、部屋の温度に応じて作動を制御する省エネのための設定を備えているものもあり、このような電気器具の場合には、省エネ設定時の消費電力量を表示するものがあるが、かかる場合でも、省エネ設定時の消費電力量は知ることができるが、通常設定時との比較における具体的な節電効果を知ることができない、という問題点が考えられる。
【０００８】
そこで、本考案は、電気器具と電源との間に介在され、所望するときに電気器具への電源供給を遮断可能としたタイマーにおいて、電源供給を遮断することにより節約できた電気代を容易に知ることを可能にした、エコ表示機能を備えたタイマー装置を提供することを課題としている。
【課題を解決するための手段】
【０００９】
本考案のエコ表示機能を備えたタイマー装置は、
電気器具と電源との間に介在され、前記電気器具への電源の供給、あるいは電気器具への電源供給の遮断を行うためのタイマーであって、
タイマー回路と、該タイマー回路に接続され、タイマー回路からの信号に基づいて、電気器具への電源供給あるいは電気器具への電源供給の遮断を切り替える切替器とを具備したタイマー手段と、
電気器具への電源の供給あるいは電気器具への電源供給の遮断を行う時間を設定するための操作スイッチを備えた操作部と、
各種の情報を表示するための表示部と、
前記操作スイッチによる操作に基づいて前記タイマー回路及びタイマー全体の作動を制御するとともに、前記タイマー手段により電源供給が遮断されている時間に基づいて、電源供給の遮断により節約できた電気代を計算して前記表示部に表示する制御部と、を具備したことを特徴としている。
【考案の効果】
【００１０】
本考案のエコ表示機能を備えたタイマー装置では、タイマーの機能によって電気器具への電源供給が遮断されている時間に基づいて、電源供給の遮断によって節約できた電気代を計算して、その結果を表示部に表示可能としている。
【００１１】
そのために、省エネ時の消費電力量を単に表示する従来の装置と異なり、電源供給の遮断による節電によって節約できた電気代を、具体的かつ容易に知ることが可能である。
【図面の簡単な説明】
【００１２】
【図１】本考案のタイマー装置の実施例の構成を示すブロック図である。
【図２】本考案のタイマー装置の実施例の正面図である。
【図３】本考案のタイマー装置の実施例の側面図である。
【図４】本考案のタイマー装置の実施例の作用を説明するためのフローチャートである。
【考案を実施するための形態】
【００１３】
本考案のエコ表示機能を備えたタイマー装置では、電源コンセントに差し込まれる電源プラグと、電気器具の電源プラグを差し込むための電源コンセントを有しており、この電源プラグと電源コンセント間を電源線で接続している。
【００１４】
そして、前記電源プラグと電源コンセントを接続している電源線の途中に、電源プラグを介して供給された電源を電気器具へ供給し、あるいはこの電源供給の遮断を行うためのタイマー手段が介在されており、これにより、電気器具と電源との間に介在されて、電気器具への電源の供給、あるいは電気器具への電源供給の遮断を行うことを可能としている。
【００１５】
また、このタイマー手段は、タイマーＩＣ等により構成されるタイマー回路と、このタイマー回路に接続されて、タイマー回路からの信号に基づいて作動する切替器を具備しており、切替器としては例えば、リレーを用いることができる。
【００１６】
更に、本考案のエコ表示機能を備えたタイマー装置では、操作部を備えており、この操作部には、電源の供給あるいは電源供給の遮断を行う時間等を設定するための操作スイッチや表示部が備えられている。
【００１７】
そして、本考案のエコ表示機能を備えたタイマー装置では、前記操作スイッチによる操作に基づいて、前記タイマー回路やタイマー全体の作動を制御する制御部を有しており、この制御部は更に、前記タイマー手段により電源供給が遮断されている時間に基づいて、少なくとも、電源供給の遮断により節約できた電気代を計算して前記表示部に表示する機能を有している。
【００１８】
ここで、前記制御部としては、電源供給時における消費電力の平均値を算出し、この電源供給時の消費電力の平均値に基づいて、電源供給が遮断されていた時間の節電量を計算可能なマイコンを用いるとよく、これにより、製造コストを抑えることが可能となる。
【実施例１】
【００１９】
本考案のエコ表示機能を備えたタイマー装置（以下単に「タイマー装置」という。）の実施例について図面を参照して説明すると、図１は本実施例のタイマー装置１の構成を示すブロック図である。また、図２は本実施例のタイマー装置１の正面を拡大して示した図、図３は本実施例のタイマー装置１の側面を拡大して示した図であり、図において１が、本実施例のタイマー装置である。
【００２０】
そして、本実施例のタイマー装置１では、家屋の壁等に備えられた電源コンセントに差し込まれる電源プラグと、作動を制御するための電気器具の電源プラグが差し込まれる電源コンセントを備えており、この電源プラグと電源コンセントを電源線で接続している。
【００２１】
即ち、図において２が電源プラグ、３が電源コンセントであり、この電源プラグ２と電源コンセント３を電源線４で接続しており、これにより、電源コンセント３に接続した電気器具への電源供給を制御することとしている。なお、本実施例において前記電源プラグには、トラッキング防止のための絶縁カバーを備えており、これにより、ショートによる火災を防止することとしている。
【００２２】
次に、図１において５はタイマー手段である。即ち、本実施例のタイマー装置１では、前記電源プラグ２と電源コンセント３を接続している電源線４の途中にタイマー手段５を介在しており、このタイマー手段５により、電源コンセント３に接続された電気器具への電源供給を制御することとしている。
【００２３】
ここで、前記タイマー手段５について説明すると、本実施例において前記タイマー手段５は、タイマー回路と、このタイマー回路に接続された切替器とで構成されている。即ち、図において６がタイマー回路であり、また図において７が切替器であり、本実施例において前記切替器７としては、タイマー回路６から送信される信号によって作動するリレーを用いている。
【００２４】
一方、本実施例において前記タイマー回路６は、一般的に使用されているタイマー回路と同様に、抵抗、コンデンサ、トランジスタ、コンパレータ等を備えて構成されたタイマーＩＣを用いており、設定した時間になると、前記切替器７に所定の信号を送信する、そして、切替器７では、この信号を受けたときに、電源コンセント３への電源供給を遮断し、あるいは、電源コンセント３への電源供給が遮断されているときにタイマー回路６から所定の信号を受けたときには、電源コンセント３への電源供給の遮断を解除することとしている。
【００２５】
次に、図において８は操作部であり、本実施例において前記操作部８には、各種の操作スイッチ９と、各種の設定情報等を表示する表示部１０とを備えており、表示部１０は液晶画面としている。
【００２６】
ここで、図２を用いて前記表示部１０について説明すると、前記表示部１０において、最上段は曜日が表示され、その下には時刻が表示されている。
【００２７】
そして、時刻の下にはタイマーをセットするためのプログラム状況が表示されており、プログラムが常時ＯＮ、プログラムが常時ＯＦＦ、プログラムがオートで動作中等によって、「ＯＮ」、「ＯＦＦ」、「ＡＵＴＯ」等の文字が表示されることとしている。
【００２８】
また、下段はエコ表示の欄としており、接続している電気器具についての、トータルの使用時間、タイマーを使用することによって節電できた電気代、積算の電気使用料金、積算の使用電力量、ＣＯ２排出量、現在使用している消費電力等が表示される。
【００２９】
次に、操作スイッチ９について説明すると、本実施例では、Ａ、Ｂ、Ｃ、Ｄ、Ｅの５種類のボタンを各種の操作ボタンとして備えており、Ａボタンはプログラムの設定を行うときに使用するプログラムボタンとし、Ｂボタンは曜日、時間を設定するときに使用する曜日／時間ボタンとし、Ｃボタンは曜日、時刻等を設定しているときに先に進めるときに用いる設定ボタンとしており、Ｄボタンは各種の設定を切り替えるときのモードボタンとし、更にＥボタンは、後述するエコ表示を行うためのエコボタンとしている。
【００３０】
なお、図において１３は、リセットボタン、１４は、通電している際の通電表示用ＬＥＤである。
【００３１】
次に、図１において１１は制御部であり、本実施例においては、制御部としてマイコンを用いており、このマイコン１１に、前記タイマー手段５、操作スイッチ９、表示部１０、制御用電源１２を接続しており、マイコン１１によって全体の作動を制御するとともに、操作スイッチによるタイマー時間の設定に基づいてタイマー回路６の作動を制御するとともに、操作スイッチにおけるＥボタンの操作に従って、表示部１０にエコ表示を行うこととしている。
【００３２】
ここで、本実施例における前記マイコン１１の機能について詳細に説明すると、本実施例における前記マイコン１１は、一般的に制御用に用いられるマイコンと同様に、演算回路や、現在時刻を計時する計時回路等を備えており、電気器具への電源の供給が行われているときに、その消費電力を検知するとともに、１時間、１分等の、所定単位時間ごとの消費電力の平均値を計算しておく。
【００３３】
そして、タイマー回路６が作動して切替器７による電源供給の遮断によって電気器具への電源供給が停止されたときに、前記計算した消費電力の平均値に基づいて、電源供給が継続されていると仮定した場合の消費電力を計算するとともに、前述のエコボタンＥが押されたときに、前記計算結果を用いて、電源供給が継続されていると仮定した場合の消費電力に基づいた電気代を、節電された電気代として、表示部１０に表示することとしている。
【００３４】
そのため、本実施例のタイマー装置１では、エコモード時の消費電力を表示するにすぎない従来のエコ表示機能と異なり、タイマーを用いて電気器具への電源供給を遮断したときには、この電源供給の遮断によって、具体的にどのくらいの電気代を節約できたかを容易に知ることができ、節電を実感することで、節電の意識を高めることも可能である。
【００３５】
なお、本実施例では、１ｋｗｈを２２円で計算して表示しており、この基本単価は任意であるが、社団法人全国家庭電気製品公正取引協会による新電力料金を目安にした単価としており、単価が変更された場合は、単価設定を変更可能としている。また、本実施例において前記電源１２は充電電池としており、充電機能も兼ね備えているが、必ずしも充電電池とする必要はない。
【００３６】
また、本実施例において前記マイコン１１は、消費電流を常に監視することとしており、消費電流がタイマーの定格電流を超えたときは、直ちに液晶画面１０に電流値と「ＯＶＥＲ」の文字を点滅表示させるとともに、切替器７によって電源コンセント３への電源供給を遮断することとしており、それによって安全装置としての機能を備えている。なおこの場合は、本実施例では、一旦電源プラグ２を壁等の電源コンセントから抜いて、再度通電することで復帰可能としている。
【００３７】
更に、液晶表示が９９９９．９９円に達した場合や、又は４５４．６ＫＷｈに達したときには、これ以上の継続表示ができないので、これらの値と「ＯＶＥＲ」の文字を点滅表示（フラッシュ表示）させ、これにより表示の更新を使用者に促すこととしている。
【００３８】
次に、このように構成される本実施例のタイマー装置１の具体的な作用について、図４のフローチャートを用いて説明すると、以下の説明においては、電気器具への電源供給が行われているＯＮ状態から、電源供給を遮断するＯＦＦ状態に切り替える場合を説明する。
【００３９】
即ち、まず、本実施例のタイマー装置１を用いて電気器具への電源供給を制御する場合には、本実施例のタイマー装置１の電源プラグ２を壁等の電源コンセントに差し込むとともに、本実施例のタイマー装置１に備えた電源コンセント３に、通電時間を制御する電気器具の電源プラグを差し込み、これにより、本実施例のタイマー装置１を介して、電源電圧を電気器具に供給するように構成し、次にこの状態において、ステップ１において、操作スイッチ９を用いて、電気器具への電源供給を遮断する時刻を設定する。
【００４０】
そして、設定した時刻が到来するまでは、ステップ２において、電気器具への通電を継続して電気器具への電源供給を行い、それとともに、マイコン１１では、ステップ３において消費電力を検知して、ステップ４において、検知した消費電力に基づいて、１時間、あるいは１分等の単位時間当たりの消費電力の平均値を計算する。
【００４１】
次に、設定した時刻が到来したときには、ステップ５において、切替器７が電気器具への電源供給を遮断して、これにより、節電を行う。
【００４２】
そして、そのときに、マイコン１１は、節電している時間と、前記で計算した消費電力の平均値を用いて、ステップ６において、節電している間に電気器具への電源供給を継続したと仮定した場合の電気代（節電代）を計算して、前記Ｅボタンが押された場合にはステップ７において、計算した電気代（節電代）を、表示部１０に表示することとしている。
【００４３】
このように、本実施例のタイマー装置１では、設定した時刻が到来したときに電気器具への電源供給を遮断するのみでなく、電源供給を遮断している間にどのくらいの電気代節約を実現できたかを計算して表示可能としているため、単に消費電力を表示した場合と異なり、使用者は節電によって具体的にどのくらいの電気代を節約できたかを容易に知ることができ、それによって、節電を実感することで、節電の意識を高めることが可能である。
【００４４】
なお、本実施例において前記Ｅボタンは、単に節約した電気代を表示する場合にのみ使用するものではなく、Ｅボタンを押すたびごとに、トータルの使用時間、節電時の節約料金及び積算使用料金、１時間あたりの料金、積算使用電力量、積算ＣＯ２排出量、現在の消費電力等を表示することとしており、それらの計算は、前記制御部１１で行うこととしている。
【００４５】
但し、本考案のタイマー装置におけるマイコン１１は、電気器具への電源供給が遮断されている時間に基づいて、この電源供給の遮断により節約できた電気代を計算して表示部に表示する機能を有することを特徴としているため、節電料金の表示が可能であれば、その他の表示は必ずしも必要なものではない。
【産業上の利用可能性】
【００４６】
本考案のエコ表示機能を備えたタイマー装置は、電気器具への電源供給の遮断によって節約できた電気代を計算して表示部に表示する機能を有しているため、節電のために電源供給を遮断する際に用いられるタイマーの全般に適用可能である。
【符号の説明】
【００４７】
１    エコ表示機能を備えたタイマー装置
２    電源プラグ
３    電源コンセント
４    電源線
５    タイマー手段
６    タイマー回路
７    切替器（リレー）
８    操作部
９    操作スイッチ
１０    表示部
１１    制御部（マイコン）
１２    電源
Ａ、Ｂ、Ｃ、Ｄ、Ｅ    操作ボタン
【図１】
0003160672.tif 000003
【図２】
0003160672.tif 000004
【図３】
0003160672.tif 000005
【図４】
0003160672.tif 000006